(57)【要約】    【課題】  キャップ部材をカメラに装着した状態であっても撮影動作に移行できるカメラを提供する。    【解決手段】  レンズバリア２２０は、図２（ａ）に示すように、係合部材２１０に対して閉じた位置となる場合、突条２２８が突条２１６に係止される。突条２２８が突条２１６を乗り越える際の抵抗力は、カメラ１００の操作者が指でレンズバリア２２０を係合部材２１０に対して開閉できる程度に設定されている。さらに、この抵抗力は、カメラボディ１１０に係合されたレンズキャップ２００のレンズバリア２２０を繰り出してくる鏡筒１２０で押圧して開くことができるように設定されている。図２（ｂ）に示すように、レンズバリア２２０が係合部材２１０に対して開いた位置となった場合、レンズバリア２２０は、係合部材２１０に対して、軸２１２を中心に自由に回動可能である。【選択図】      図２
2005128125.tif 000002
【特許請求の範囲】
【請求項１】
カメラボディに対してレンズとともに光軸方向に移動可能な鏡筒部材と、
前記カメラボディに係合する係合部材、および、前記係合部材が前記カメラボディに係合されているときに前記係合部材に係止されて前記鏡筒部材の先端部分を閉じる閉止状態と前記係合部材との係止状態が解除されて前記鏡筒部材の先端部分を開く開放状態の少なくとも２姿勢の間で開閉するレンズバリアを有し、前記カメラボディに着脱可能に取り付けられるキャップ部材とを備えることを特徴とするカメラ。
【請求項２】
請求項１に記載のカメラにおいて、
前記キャップ部材は、前記係合部材によって前記カメラボディに係合された状態で前記鏡筒部材が繰り出すと、前記係合部材の前記カメラボディへの係合を解除することなく前記レンズバリアが前記開放状態となることを特徴とするカメラ。
【請求項３】
請求項１または請求項２に記載のキャップ部材。
【請求項４】
請求項３に記載のキャップ部材において、
前記係合部材は、前記レンズの光軸を中心に半径方向に付勢される付勢力によって前記カメラボディに係合し、
前記レンズバリアは、前記レンズの光軸を中心とする円の接線方向と平行な開閉軸を中心に前記係合部材に対して開閉可能であり、前記係合部材の前記カメラボディへの係合を解除することなく前記係合部材との係止状態が解除されることを特徴とするキャップ部材。
【請求項５】
請求項４に記載のキャップ部材において、
前記係合部材は、前記レンズの光軸を中心とする略円弧形状の弾性部材であり、円弧の先端部分が前記レンズの光軸中心方向に可撓であり、
前記先端部分には、前記先端部分の可撓方向に延在する突条が設けられ、
前記レンズバリアは、前記突条によって係止される係止部を有し、前記係合部材の前記カメラへの係合状態に影響されることなく前記係止部が前記突条に係止されて前記閉止状態が維持されることを特徴とするキャップ部材。
【請求項６】
請求項３〜５のいずれかの項に記載のキャップ部材において、
前記係合部材が前記カメラボディに係合されているときに前記係合部材に係止されて前記鏡筒部材の先端部分を閉じる閉止状態と前記係合部材との係止状態が解除されて前記鏡筒部材の先端部分を開く開放状態の少なくとも２姿勢の間で開閉し、前記レンズバリアとは独立した開閉軸が設けられた少なくとも１枚の円盤状の光学部材をさらに有することを特徴とするキャップ部材。
【請求項７】
カメラボディに対してレンズとともに光軸方向に移動可能な鏡筒部材と、
前記カメラボディに係合する係合部材、および、前記係合部材が前記カメラボディに係合されているときに前記係合部材に係止されて前記鏡筒部材の入射光路を閉じる閉止状態と前記係合部材との係止状態が解除されて前記鏡筒部材の入射光路を開く開放状態の少なくとも２姿勢の間で開閉する、少なくとも１枚の円盤状の光学部材、および、前記光学部材に係止されて前記光学部材の入射光側を閉じる閉止状態と前記光学部材との係止状態が解除されて前記光学部材の入射光側を開く開放状態の少なくとも２姿勢の間で開閉し、前記光学部材とは独立した開閉軸が設けられたレンズバリアを有し、前記カメラボディに着脱可能に取り付けられるキャップ部材とを備えることを特徴とするカメラ。
【請求項８】
カメラボディに対してレンズとともに光軸方向に移動可能な鏡筒部材と、
請求項６または請求項７に記載のキャップ部材と、
前記係合部材によって前記レンズの光軸を中心とする少なくとも第１および第２の取り付け角度で前記カメラボディに係合される前記キャップ部材が前記第１の取り付け角度で前記カメラボディに係合された場合には、前記レンズバリアのみを前記開放状態とし、前記第２の取り付け角度で前記カメラボディに係合された場合には、前記レンズバリアおよび前記光学部材を前記開放状態とするように前記鏡筒部材の繰り出しに応じて前記閉止状態である前記レンズバリアまたは前記光学部材に当接する当接部材とを備えることを特徴とするカメラ。
【発明の詳細な説明】
【技術分野】
【０００１】
本発明は、鏡筒が沈胴状態から繰り出されるカメラと、このカメラとともに用いるレンズキャップに関する。
【背景技術】
【０００２】
従来からカメラのレンズを保護するためにレンズキャップが用いられてきた。カメラに装着されたレンズキャップは、撮影時にはカメラから外さなくてはならない。また、沈胴式レンズを搭載したカメラでは、レンズキャップを装着したまま電源スイッチを入れると、繰り出してきた鏡筒がレンズキャップに干渉して正しく動作しない場合があった。
【０００３】
この問題を解決して、レンズキャップを装着したままであっても撮影ができる、沈胴式レンズを搭載したカメラが知られている（特許文献１，２参照）。
【０００４】
【特許文献１】特開２００１−２１９４９号公報
【特許文献２】特開２００１−２１９５０号公報
【発明の開示】
【発明が解決しようとする課題】
【０００５】
しかし、これらのカメラに用いられるレンズキャップは、カメラから外すことができないため、撮影時に邪魔になることがあった。
【課題を解決するための手段】
【０００６】
（１）  請求項１の発明によるカメラは、カメラボディに対してレンズとともに光軸方向に移動可能な鏡筒部材と、カメラボディに係合する係合部材、および、係合部材がカメラボディに係合されているときに係合部材に係止されて鏡筒部材の先端部分を閉じる閉止状態と係合部材との係止状態が解除されて鏡筒部材の先端部分を開く開放状態の少なくとも２姿勢の間で開閉するレンズバリアを有し、カメラボディに着脱可能に取り付けられるキャップ部材とを備えることを特徴とする。
（２）  請求項２の発明は、請求項１に記載のカメラにおいて、キャップ部材は、係合部材によってカメラボディに係合された状態で鏡筒部材が繰り出すと、係合部材のカメラボディへの係合を解除することなくレンズバリアが開放状態となることを特徴とする。
（３）  請求項３の発明によるキャップ部材は、請求項１または請求項２に記載のキャップ部材であることを特徴とする。
（４）  請求項４の発明は、請求項３に記載のキャップ部材において、係合部材は、レンズの光軸を中心に半径方向に付勢される付勢力によってカメラボディに係合し、レンズバリアは、レンズの光軸を中心とする円の接線方向と平行な開閉軸を中心に係合部材に対して開閉可能であり、係合部材のカメラボディへの係合を解除することなく係合部材との係止状態が解除されることを特徴とする。
（５）  請求項５の発明は、請求項４に記載のキャップ部材において、係合部材は、レンズの光軸を中心とする略円弧形状の弾性部材であり、円弧の先端部分がレンズの光軸中心方向に可撓であり、先端部分には、先端部分の可撓方向に延在する突条が設けられ、レンズバリアは、突条によって係止される係止部を有し、係合部材の前記カメラへの係合状態に影響されることなく係止部が前記突条に係止されて閉止状態が維持されることを特徴とする。
（６）  請求項６の発明は、請求項３〜５のいずれかの項に記載のキャップ部材において、係合部材がカメラボディに係合されているときに係合部材に係止されて鏡筒部材の先端部分を閉じる閉止状態と係合部材との係止状態が解除されて鏡筒部材の先端部分を開く開放状態の少なくとも２姿勢の間で開閉し、レンズバリアとは独立した開閉軸が設けられた少なくとも１枚の円盤状の光学部材をさらに有することを特徴とする。
（７）  請求項７の発明によるカメラは、カメラボディに対してレンズとともに光軸方向に移動可能な鏡筒部材と、カメラボディに係合する係合部材、および、係合部材がカメラボディに係合されているときに係合部材に係止されて鏡筒部材の入射光路を閉じる閉止状態と係合部材との係止状態が解除されて鏡筒部材の入射光路を開く開放状態の少なくとも２姿勢の間で開閉する、少なくとも１枚の円盤状の光学部材、および、光学部材に係止されて光学部材の入射光側を閉じる閉止状態と光学部材との係止状態が解除されて光学部材の入射光側を開く開放状態の少なくとも２姿勢の間で開閉し、光学部材とは独立した開閉軸が設けられたレンズバリアを有し、カメラボディに着脱可能に取り付けられるキャップ部材とを備えることを特徴とする。
（８）  請求項８の発明によるカメラは、カメラボディに対してレンズとともに光軸方向に移動可能な鏡筒部材と、請求項６または請求項７に記載のキャップ部材と、係合部材によってレンズの光軸を中心とする少なくとも第１および第２の取り付け角度でカメラボディに係合されるキャップ部材が第１の取り付け角度でカメラボディに係合された場合には、レンズバリアのみを開放状態とし、第２の取り付け角度でカメラボディに係合された場合には、レンズバリアおよび光学部材を開放状態とするように鏡筒部材の繰り出しに応じて閉止状態であるレンズバリアまたは光学部材に当接する当接部材とを備えることを特徴とする。
【発明の効果】
【０００７】
（１）  請求項１の発明によるカメラのキャップ部材は、係合部材がカメラボディに係合された状態で、レンズバリアが鏡筒の先端部分を閉じる閉止状態および鏡筒の先端部分を開く開放状態の２姿勢を取り得るよう構成した。これにより、キャップ部材をカメラに装着した状態であっても撮影動作に移行できるので、レンズの保護と、速やかな撮影との両立ができる。
（２）  請求項７の発明によるカメラのキャップ部材は、係合部材がカメラボディに係合された状態で、鏡筒の入射光路を閉じる閉止状態および鏡筒の入射光路を開く開放状態の２姿勢を取り得る光学部材とレンズバリアとを設けるようにした。これにより、光学フィルタを別途持ち歩く必要がなくなるとともに、光学フィルタを用いた撮影と、光学フィルタを用いない撮影とを容易に選択でき、利便性が高い。
（３）  請求項８の発明によるカメラは、キャップ部材が第１の取り付け角度でカメラボディに係合された場合には、鏡筒部材の繰り出しに応じてレンズバリアのみを開放状態とし、第２の取り付け角度でカメラボディに係合された場合には、鏡筒部材の繰り出しに応じてレンズバリアおよび光学部材を開放状態とするように構成した。これにより、キャップ部材の取り付け角度を変更するだけで、光学フィルタを用いた撮影と、光学フィルタを用いない撮影とを容易に選択できる。
【発明を実施するための最良の形態】
【０００８】
―――第１の実施の形態―――
図１〜４を参照して本発明によるカメラおよびキャップ部材の第１の実施の形態を説明する。第１の実施の形態のカメラ１００は沈胴式レンズを搭載したカメラであり、カメラボディ１１０に対して沈胴状態からレンズの光軸方向（以下、単に光軸方向と呼ぶ）に繰り出される鏡筒１２０を備えている。カメラボディ１１０には、鏡筒１２０の外周を囲むように円筒部１１１が設けられている。円筒部１１１の前方は開口部１１２であり、開口部１１２の内周面には、ねじ部１１３が設けられている。ねじ部１１３には、各種コンバータレンズなどのアクセサリー類を取り付けるためのコンバータリングが螺合可能であるとともに、後述するレンズキャップ２００が係合可能である。
【０００９】
鏡筒１２０の前方端部１２１であって最も上部の部分には、前方端部１２１よりさらに前方に突出した突起１２２が設けられている。不図示の電源スイッチがＯＮにされると、鏡筒１２０は光軸方向に繰り出して、前方端部１２１および突起１２２がカメラボディ１１０の開口部１１２の端面よりも前方へ突出する。
【００１０】
図２（ａ），（ｂ）に示すように、キャップ部材としてのレンズキャップ２００は、係合部材２１０と、係合部材２１０に対して回動可能に軸支されたレンズバリア２２０とを備えている。係合部材２１０は、丈の短い薄肉円筒の一部を切り欠いたような略円弧形状の円弧部材２１１を有する。係合部材２１０の円弧中央に相当する部分には、レンズバリア２２０を回動可能に軸支するための軸２１２が円弧の接線に相当する方向と平行に設けられている。言い換えると、軸２１２は、レンズキャップ２００をカメラ１００に装着した際の光軸を中心とする円の接線方向と平行である。円弧部材２１１の円弧端部付近に相当する部分であって、円弧の外側に相当する面には、係合部２１３がそれぞれ設けられている。係合部２１３には、円筒部１１１の内周面に設けられたねじ部１１３と係合可能な突部２１３ａが形成されている。
【００１１】
それぞれの係合部２１３に隣接して、把持部２１４が設けられている。すなわち、把持部２１４は、係合部２１３から円弧の中心軸方向に延在する帯状部材であり、円弧の内径が係合部２１３と等しく、円弧の外径が係合部２１３よりも大きい。円弧端部に相当する把持部２１４の端面２１５には、図３（ａ），（ｂ）に示すように、円弧の略半径方向に延在する突条２１６が設けられている。
【００１２】
係合部材２１０は、可撓性を有する樹脂で構成されている。そのため、把持部２１４が円弧の略中心方向に押圧されると、円弧部材２１１は押圧された方向に撓み、押圧が解除されると、円弧部材２１１は弾性力で元の形状に復元する。すなわち、円弧部材２１１は、略円弧形状の弾性部材である。この円弧部材２１１の弾性力を利用して、係合部２１３とカメラボディ１１０の円筒部１１１の内周面とを係合させることで、係合部材２１０は、円筒部１１１の開口部１１２に係合される。すなわち、係合部材２１０は、レンズの光軸を中心に半径方向に付勢される付勢力によってカメラボディ１１０に係合する。
【００１３】
レンズバリア２２０は、略円盤形状の部材である円盤２２１の円周上に帯状部材２２２，２２３が立設した部材であり、係合部材２１０と同様に可撓性を有する樹脂で構成されている。係合部材２１０の把持部２１４との干渉を防止するため、円盤２２１には、円周上の２箇所でその一部が切り欠かれた切り欠き部２２５が設けられている。円盤２２１の円周上に立設された２つの帯状部材２２３の間には、係合部材２１０の軸２１２を回動可能に支持する支持部２２６が設けられている。
【００１４】
帯状部材２２２は、円盤２２１の面内で支持部２２６と対称の位置に設けられている。図３（ａ），（ｂ）を参照すると、帯状部材２２２の両端部分には、円盤２２１の略中央に向けて折り曲げられた形状の端部２２７がそれぞれ設けられている。さらに、切り欠き部２２５を臨む端部２２７の端面には、円盤２２１の略半径方向に延在する突条２２８がそれぞれ設けられている。
【００１５】
レンズバリア２２０の支持部２２６に係合部材２１０の軸２１２が支持されるように、レンズバリア２２０と係合部材２１０とを組み立てると、レンズバリア２２０と係合部材２１０とは、支持部２２６および軸２１２によって回動可能に結合される。すなわち、レンズバリア２２０と係合部材２１０とは、軸２１２を中心に開閉可能である。なお、支持部２２６と軸２１２とは、容易に分離されないよう、それぞれの寸法および強度が設定されている。
【００１６】
―――レンズバリア２２０の開閉―――
レンズバリア２２０は、図２（ａ）に示すように、係合部材２１０に対して閉じた位置となる場合、図３（ａ）に示すように、レンズバリア２２０の突条２２８が係合部材２１０の突条２１６に係止される。このため、レンズバリア２２０が係合部材２１０に対して開いた位置となるためには、レンズバリア２２０の突条２２８が係合部材２１０の突条２１６を乗り越えて行かなくてはならない。すなわち、レンズバリア２２０は、係合部材２１０に対して、図２（ａ）に示した開き方向への回動が制限される。
【００１７】
レンズバリア２２０が係合部材２１０に対して閉じた位置（図２（ａ））では、以下の理由から、図２（ａ）に示した閉じ方向への回動も制限される。図示はしないが、レンズバリア２２０が係合部材２１０に対して閉じた位置では、軸２１２がレンズバリア２２０の突条２２８よりも前方に位置している。そのため、軸２１２を中心に回動する突条２２８の移動軌跡は、把持部２１４の端面２１５と干渉する。したがって、レンズバリア２２０をさらに閉じ方向へ回動させるようとしても、突条２２８が把持部２１４の端面２１５と干渉するため回動できない。なお、レンズキャップ２００をカメラ１００に装着した場合、レンズバリア２２０が係合部材２１０に対して閉じた位置では、帯状部材２２２の後側の面がカメラボディ１１０の開口部１１２に当接する。すなわち、カメラボディ１１０が存在するため、レンズバリア２２０は閉じ方向へ回動できない。
【００１８】
レンズバリア２２０の突条２２８が係合部材２１０の突条２１６を乗り越える際の抵抗力は、カメラ１００の操作者が指でレンズバリア２２０を係合部材２１０に対して開閉できる程度に設定されている。さらに、この抵抗力は、後述するように、カメラボディ１１０に係合されたレンズキャップ２００のレンズバリア２２０を繰り出してくる鏡筒１２０で押圧して開くことができるように設定されている。
【００１９】
図２（ａ）に示した位置から、図２（ｂ）に示すように、レンズバリア２２０が係合部材２１０に対して開いた位置となった場合、上述のように、レンズバリア２２０は、係合部材２１０に対して、軸２１２を中心に自由に回動可能である。
【００２０】
―――レンズキャップ２００の装着―――
上述のように、レンズキャップ２００は、係合部材２１０の２つの把持部２１４が円弧の略中心方向に押圧されると円弧部材２１１がそれぞれ撓むので、係合部２１３をカメラボディ１１０の円筒部１１１の内周面に挿入できる。係合部２１３が円筒部１１１の内周面に挿入された後、把持部２１４の押圧が解除されると、円弧部材２１１の弾性力により、係合部２１３がカメラボディ１１０の円筒部１１１の内周面に押圧される。このとき、円筒部１１１の内周面に設けられたねじ部１１３と係合部２１３に設けられたねじ山とが噛み合って、螺合された状態となる。これにより、係合部２１３とカメラボディ１１０の円筒部１１１の内周面とが係合される。
【００２１】
光軸を中心とする、カメラボディ１１０の円筒部１１１に対するレンズキャップ２００の取り付け角度は、どのような角度であっても取り付け可能である。しかし、後述するように、繰り出してくる鏡筒１２０によってレンズバリア２２０を押圧するため、軸２１２が鏡筒１２０の突起１２２から最も遠い位置となるようにレンズキャップ２００を取り付けることが好ましい。繰り出してくる鏡筒１２０がレンズバリア２２０を押圧する力を最も有効に利用して、軸２１２を中心としてレンズバリア２２０を回動できるからである。
【００２２】
レンズキャップ２００をカメラ１００に装着する際、上述のように把持部２１４が円弧の略中心方向に押圧される。このように、把持部２１４が円弧の略中心方向に押圧された際の係合部材２１０に設けられた把持部２１４の端面２１５と、レンズバリア２２０に設けられた帯状部材２２２の端部２２７との位置関係を、図３（ｂ）に示す。円弧の先端部分に相当する把持部２１４の端面２１５が可撓する方向に突条２１６，２２８が延在しているので、把持部２１４が円弧の略中心方向に押圧されても、突条２１６，２２８同士の係止状態は解除されない。これにより、把持部２１４が円弧の略中心方向に押圧されても、レンズバリア２２０の開き方向への回動は制限される。
【００２３】
また、端部２２７の突条２２８は把持部２１４の端面２１５と干渉するため、上述のように、レンズバリア２２０の閉じ方向への回動も制限される。したがって、レンズバリア２２０が係合部材２１０に対して閉じた位置（図２（ａ））では、把持部２１４が円弧の略中心方向に押圧されても、レンズバリア２２０は、係合部材２１０に対する回動が制限されたままである。
【００２４】
レンズキャップ２００をカメラ１００から取り外すときは、２つの把持部２１４を円弧の略中心方向、すなわち光軸を中心とする半径方向に押圧すればよい。係合部２１３とカメラボディ１１０の円筒部１１１の内周面との係合が解除され、レンズキャップ２００をカメラ１００から取り外せる。
【００２５】
―――鏡筒１２０の繰り出しによるレンズバリア２２０の開き動作―――
本実施の形態のレンズキャップ２００は、沈胴状態のカメラ１００に装着した状態から、鏡筒１２０を繰り出すことで、レンズバリア２２０を開くことができる。以下、図４を参照して詳述する。図４（ａ）〜（ｄ）は、カメラ１００およびレンズキャップ２００について、レンズの光軸を含む断面を横方向から見た場合の断面図である。図４（ａ）に示した状態は、カメラ１００の不図示の電源スイッチがＯＦＦの状態であり、鏡筒１２０が沈胴した状態である。この状態では、鏡筒１２０とレンズキャップ２００とが離れている。レンズキャップ２００のレンズバリア２２０は、突条２１６，２２８により係止されて、鏡筒１２０の先端部分を閉じる閉止状態、すなわち、鏡筒１２０の入射光路を閉じる閉止状態となっている。
【００２６】
電源スイッチがＯＮにされると、鏡筒１２０は光軸方向に繰り出していく。図４（ｂ）に示した状態は、鏡筒１２０が前方へ繰り出して、突起１２２がレンズバリア２２０の円盤２２１に当接した状態である。この状態では、上述の突起１２２と円盤２２１とが当接する。
【００２７】
図４（ｂ）に示した状態から、鏡筒１２０がさらに繰り出していくと、突起１２２がレンズバリア２２０の円盤２２１を前方に押圧する。この押圧力によって、レンズバリア２２０の突条２２８が係合部材２１０の突条２１６を乗り越えて、突条２１６，２２８同士の係止状態が解除される。これにより、鏡筒１２０の先端部分を開く開放状態、すなわち、鏡筒１２０の入射光路を開く開放状態となる。図４（ｃ）に示すように、レンズバリア２２０が開放状態となると、レンズバリア２２０は重力によって回動して、図４（ｄ）に示すように、鉛直下方に回動した姿勢となる。なお、図４（ｄ）では、鏡筒１２０の前方端部１２１および突起１２２は、カメラボディ１１０の開口部１１２の端面よりも前方へ突出する。この状態で撮影可能となる。
【００２８】
上述のように、本実施の形態のレンズキャップ２００は、係合部材２１０のカメラボディ１１０への係合を解除することなく、係合部材２１０とレンズバリア２２０との係止状態が解除されて、鏡筒１２０の先端部分を開くことができる。
【００２９】
レンズバリア２２０を再び閉じるには、鏡筒１２０を沈胴状態とした後、手動によりレンズバリア２２０を閉じる方向に回動させればよい。
【００３０】
上述した第１の実施の形態のカメラおよびキャップ部材では、次の作用効果を奏する。
（１）  係合部材２１０がカメラボディ１１０に係合された状態で、レンズバリア２２０が鏡筒１２０の先端部分を閉じる閉止状態および鏡筒１２０の先端部分を開く開放状態の２姿勢を取り得るよう構成した。これにより、レンズキャップ２００をカメラ１００に装着した状態であっても撮影動作に移行できるので、レンズの保護と、速やかな撮影との両立ができる。
【００３１】
（２）  レンズバリア２２０が鏡筒１２０の先端部分を閉じる閉止状態であっても、鏡筒１２０が繰り出すことで、鏡筒１２０の先端部分を開く開放状態となるよう構成した。これにより、撮影者は、レンズキャップ２００の装着の有無を気にすることなく撮影に集中できるため、シャッターチャンスを逃さずに済み、利便性が高い。また、レンズキャップ２００をカメラ１００に装着しておけば、レンズキャップ２００の紛失を防止できる。
【００３２】
（３）  把持部２１４を光軸を中心とする半径方向に押圧することでレンズキャップ２００をカメラ１００に着脱可能なように構成した。したがって、レンズキャップ２００を従来のレンズキャップと同様にカメラ１００から取り外すことができる。これにより、従来のレンズキャップと同様に扱うことができるとともに、どのような撮影姿勢であっても、レンズキャップ２００が撮影者の邪魔になることはない。
【００３３】
（４）  係合部材２１０に対してレンズバリア２２０が回動する回動中心の軸２１２は、光軸を中心とする円の接線方向と平行である。したがって、レンズバリア２２０は、鏡筒１２０が繰り出すことで容易に鏡筒１２０の先端部分を開放する。簡便な構造であるので、設計、製造が容易であり、コストも安価である。
（５）  鏡筒１２０の前方端部１２１であって最も上部の部分に突起１２２を設けている。軸２１２が突起１２２から最も遠い位置となるようにレンズキャップ２００を取り付けることで、繰り出してくる鏡筒１２０がレンズバリア２２０を押圧する力を最も有効に利用して、軸２１２を中心としてレンズバリア２２０を回動できる。これにより、確実にレンズバリア２２０を撮影可能な姿勢に移動できる。
（６）  レンズバリア２２０で鏡筒１２０の先端で開閉する際には、レンズバリア２２０の突条２２８が係合部材２１０の突条２１６を乗り越える。これにより、開閉する際にクリック感が生じるので、撮影者がレンズバリア２２０を手で開閉した際に、レンズバリア２２０の開放・閉止を確実に認識できる。
【００３４】
―――第２の実施の形態―――
図５〜９を参照して本発明によるカメラおよびキャップ部材の第２の実施の形態を説明する。以下の説明では、第１の実施の形態と同じ構成要素には同じ符号を付して相違点を主に説明する。第２の実施の形態のレンズキャップ３００は、第１の実施の形態のレンズキャップ２００のレンズバリア２２０に対して回動可能である別のレンズバリアを前方にさらに設けたような構造となっている。そして、第１の実施の形態のレンズキャップ２００のレンズバリア２２０に相当する部材には、光学フィルタが設けられている。
【００３５】
すなわち、キャップ部材としてのレンズキャップ３００は、図５（ａ），（ｂ）に示すように、係合部材２１０と、係合部材２１０に対して回動可能に軸支されたフィルタ板２４０と、フィルタ板２４０に対して回動可能に軸支されたレンズバリア２５０とを備えている。係合部材２１０の係合部２１３には、カメラボディ１００の円筒部１１１の内周面に対して、光軸を中心とする任意の角度位置で取り付け可能な係合突部２１３ｂが形成されている。
【００３６】
フィルタ板２４０は、上述のように、第１の実施の形態のレンズキャップ２００のレンズバリア２２０に相当する部材であり、以下の点で第１の実施の形態のレンズキャップ２００のレンズバリア２２０と異なる。そして、それ以外の部分は、第１の実施の形態のレンズキャップ２００のレンズバリア２２０と同一である。
【００３７】
フィルタ板２４０の円盤２２１には、光学フィルタ２３０を保持するためのフィルタ保持部２２９が設けられている。フィルタ保持部２２９は、円盤２２１に開けられた開口であり、その周縁には、図示しないフィルタの保持構造が設けられている。そして、この保持構造によって光学フィルタ２３０がフィルタ保持部２２９に嵌挿されて保持される。
【００３８】
支持部２２６の近傍の円盤２２１には、開口部２３１が設けられている。開口部２３１は、後述するレンズバリア２５０の突起２５４と挿脱可能に係合して、フィルタ板２４０に対するレンズバリア２５０の開閉を規制する。開口部２３１の寸法および円盤２２１における位置は、開口部２３１が真上となる角度位置でレンズキャップ３００をカメラ１００に装着した際に、繰り出してくる鏡筒１２０に設けられた突起１２２が開口部２３１の内周面に接触せずに、開口部２３１を貫通するように設定されている。
【００３９】
円盤２２１の中心に対して支持部２２６とは略対称の位置には、帯状部材２２２を左右２つに分割する切り欠き２３３が設けられている。切り欠き２３３からやや円盤２２１の中心側には、開口部２３２が設けられている。そして、円盤２２１の切り欠き２３３と開口部２３２との間の部分には、軸２３４が設けられている。軸２３４は、レンズバリア２５０を回動可能に軸支するため、円盤２２１の円弧の接線に相当する方向と平行に設けられている。言い換えると、軸２３４は、レンズキャップ３００をカメラ１００に装着した際の光軸を中心とする円の接線方向と平行である。
【００４０】
光学フィルタ２３０は、カメラ１００のレンズに入射する光の特性を補正するフィルタであり、例えば、紫外線領域の光をカットするフィルタである。光学フィルタ２３０には、レンズの前面に取り付け可能な様々な種類のフィルタが適用可能である。
【００４１】
フィルタ板２４０は、光学フィルタ２３０による光学特性の補正の補正とともに、レンズを保護する役割も持つ。
【００４２】
レンズバリア２５０は、略円盤形状の部材である円盤２５１に切り欠き２５２と、支持部２５３と、突起２５４とが設けられた部材であり、係合部材２１０と同様に可撓性を有する樹脂で構成されている。レンズバリア２５０は、レンズおよび光学フィルタ２３０を保護する。切り欠き２５２は、係合部材２１０の把持部２１４との干渉を防止するため、円盤２５１の円周上の２箇所に設けられた切り欠きである。支持部２５３は、円盤２５１の円周近傍に設けられて、フィルタ板２４０の軸２３４を回動可能に支持する。
【００４３】
レンズバリア２５０の支持部２５３にフィルタ板２４０の軸２３４が支持されるように、レンズバリア２５０とフィルタ板２４０とを組み立てると、レンズバリア２５０とフィルタ板２４０とは、支持部２５３および軸２３４によって回動可能に結合される。すなわち、レンズバリア２５０とフィルタ板２４０とは、軸２３４を中心に開閉可能である。なお、支持部２５３と軸２３４とは、容易に分離されないよう、それぞれの寸法および強度が設定されている。
【００４４】
突起２５４は、円盤２５１の後側の面内で支持部２５３とは円盤２５１の中心を挟んで反対側の位置に設けられている。上述のように、突起２５４は、フィルタ板２４０の開口部２３１と挿脱可能に係合して、フィルタ板２４０に対するレンズバリア２５０の開閉を規制する。突起２５４の寸法位置、および円盤２５１における位置は、開口部２３１と挿脱可能に係合できるように、開口部２３１の寸法および円盤２２１における位置とともに設定されている。
【００４５】
―――鏡筒１２０の繰り出しでフィルタ板２４０とレンズバリア２５０とを開く―――
本実施の形態のレンズキャップ３００は、鏡筒１２０の繰り出しによって、フィルタ板２４０およびレンズバリア２５０の双方、もしくはレンズバリア２５０のみを開くことができる。以下、図６〜９を参照して詳述する。鏡筒１２０の繰り出しによって、フィルタ板２４０およびレンズバリア２５０の双方を開く場合、図６（ａ）に示すように、カメラ１００に対して、支持部２２６が真下となる角度位置でレンズキャップ３００を取り付ける。
【００４６】
図７（ａ）〜（ｄ）は、カメラ１００およびレンズキャップ３００について、レンズの光軸を含む断面を横方向から見た場合の断面図である。図７（ａ）に示した状態は、カメラ１００の不図示の電源スイッチがＯＦＦの状態であり、鏡筒１２０が沈胴した状態である。この状態では、鏡筒１２０とレンズキャップ３００とが離れている。レンズキャップ３００のフィルタ板２４０は、突条２１６，２２８により係止されて、鏡筒１２０の先端部分を閉じる閉止状態、すなわち、鏡筒１２０の入射光路を閉じる閉止状態となっている。レンズバリア２５０は、突起２５４が開口部２３１により係止されている。
【００４７】
電源スイッチがＯＮにされると、鏡筒１２０は光軸方向に繰り出していく。図７（ｂ）に示した状態は、鏡筒１２０が前方へ繰り出して、突起１２２がフィルタ板２４０の円盤２２１に当接した状態である。この状態では、上述の突起１２２と円盤２２１とが当接する。
【００４８】
図７（ｂ）に示した状態から、鏡筒１２０がさらに繰り出していくと、突起１２２がフィルタ板２４０の円盤２２１を前方に押圧する。この押圧力によって、フィルタ板２４０の突条２２８が係合部材２１０の突条２１６を乗り越えて、突条２１６，２２８同士の係止状態が解除される。すなわち、鏡筒１２０の先端部分を開く開放状態となる。図７（ｃ）に示すように、フィルタ板２４０が開放状態となると、フィルタ板２４０はレンズバリア２５０とともに重力によって回動して、図６（ｂ）および図７（ｄ）に示すように、鉛直下方に回動した姿勢となる。なお、図７（ｄ）では、鏡筒１２０の前方端部１２１および突起１２２は、カメラボディ１１０の開口部１１２の端面よりも前方へ突出する。この状態で撮影可能となる。
【００４９】
上述のように、第２の実施の形態のレンズキャップ３００は、係合部材２１０のカメラボディ１１０への係合を解除することなく、係合部材２１０とフィルタ板２４０のとの係止状態が解除されて、鏡筒１２０の先端部分を開く、すなわち、鏡筒１２０の入射光路を開くことができる。
【００５０】
フィルタ板２４０およびレンズバリア２５０を再び閉じるには、鏡筒１２０を沈胴状態とした後、フィルタ板２４０およびレンズバリア２５０を閉じる方向に手動で回動させればよい。
【００５１】
―――鏡筒１２０の繰り出しでレンズバリア２５０のみを開く―――
鏡筒１２０の繰り出しによって、レンズバリア２５０のみを開く場合、図８（ａ）に示すように、カメラ１００に対して、支持部２２６が真上となる角度位置でレンズキャップ３００を取り付ける。すなわち、鏡筒１２０の繰り出しによって、フィルタ板２４０およびレンズバリア２５０の双方を開く場合の角度位置とは、１８０度回転させた角度位置でレンズキャップ３００をカメラ１００に取り付ける。
【００５２】
図９（ａ）〜（ｄ）は、カメラ１００およびレンズキャップ３００について、レンズの光軸を含む断面を横方向から見た場合の断面図である。図９（ａ）に示した状態は、カメラ１００の不図示の電源スイッチがＯＦＦの状態であり、鏡筒１２０が沈胴した状態である。この状態では、鏡筒１２０とレンズキャップ３００とが離れている。レンズキャップ３００のフィルタ板２４０は、突条２１６，２２８により係止されて、鏡筒１２０の先端部分を閉じる閉止状態となっている。レンズバリア２５０は、突起２５４が開口部２３１により係止されている。
【００５３】
電源スイッチがＯＮにされると、鏡筒１２０は光軸方向に繰り出していく。図９（ｂ）に示した状態は、鏡筒１２０が前方へ繰り出して、突起１２２がレンズバリア２５０の突起２５４に当接した状態である。この状態では、上述の突起１２２と突起２５４とが当接する。
【００５４】
図９（ｂ）に示した状態から、鏡筒１２０がさらに繰り出していくと、突起１２２がレンズバリア２５０の突起２５４を前方に押圧する。この押圧力によって、レンズバリア２５０の突起２５４とフィルタ板２４０の開口部２３１との係止状態が解除される。しかし、突条２１６，２２８同士の係止状態に変化はなく、フィルタ板２４０は、係合部材２１０に係合されている。
【００５５】
図８（ｃ）に示すように、レンズバリア２５０が開放状態となると、レンズバリア２５０は重力によって回動して、図８（ｂ）および図９（ｄ）に示すように、鉛直下方に回動した姿勢となる。なお、鏡筒１２０の前方端部１２１および突起１２２は、フィルタ板２４０の開口部２３１の開口端面よりも前方へ突出するが、鏡筒１２０の前方端部１２１はフィルタ板２４０には接触しない。この状態で撮影可能となる。
【００５６】
上述のように、第２の実施の形態のレンズキャップ３００は、係合部材２１０のカメラボディ１１０への係合を解除することなく、フィルタ板２４０を閉じたままで、レンズバリア２５０のみを開くことができる。
【００５７】
レンズバリア２５０を再び閉じるには、鏡筒１２０を沈胴状態とした後、レンズバリア２５０を閉じる方向に回動させればよい。なお、フィルタ板２４０およびレンズバリア２５０は、それぞれ、撮影者が手で開閉可能である。
【００５８】
上述した第２の実施の形態のカメラおよびキャップ部材では、第１の実施の形態の作用効果に加えて、次の作用効果を奏する。
（１）  レンズバリア２５０とは別に、係合部材２１０がカメラボディ１１０に係合された状態で鏡筒１２０の先端部分を開閉するフィルタ板２４０を設けた。これにより、光学フィルタを別途持ち歩く必要がなくなり、利便性が高い。
【００５９】
（２）  円弧部材２１１の弾力を利用してカメラボディ１１０に係合可能なレンズキャップ３００にフィルタ板２４０を設けた。従来の光学フィルタのように、円筒部１１１の内周面に設けたねじ部１１３に光学フィルタを螺合させる必要がなく、レンズキャップ３００の取り付け角度を変更するだけで、光学フィルタを用いた撮影と、光学フィルタを用いない撮影とを容易に選択できる。
【００６０】
―――変形例―――
（１）  上述の説明では、係合部材２１０は、可撓性を有する樹脂で構成されているが、本発明はこれに限定されない。円弧部材２１１に弾力性を付与できれば、金属の薄板など、他の材質でもよい。
（２）  円筒部１１１の内周面と係合部２１３とに、レンズキャップ２００、３００の取り付け角度位置を規制する凹凸を施すようにしてもよい。
【００６１】
（３）  上述の説明では、フィルタ板は１枚であったが、２枚以上設けることもできる。フィルタ板を２枚以上設ける場合、各フィルタ板の回動中心が光軸を中心とする円弧の接線方向に平行となるように、各フィルタ毎に光軸を中心とする角度位置が異なるように設ける。そして、突起１２２で各フィルタを選択的に押圧できるように、開口部２３１と同様の開口を各フィルタに設ければよい。
【００６２】
（４）  光学フィルタ２３０には、様々な特性を持つ光学フィルタを用いることができる。例えば、水中撮影におけるホワイトバランス補正用のフィルタや、偏光フィルタなど、あらゆる光学フィルタが適用できる。なお、水中撮影のためには、カメラ１００を防水構造とすればよい。また、水深に応じてホワイトバランスの補正度合いを複数段階設定する場合や、偏光度合いを複数段階設定する場合、特性の異なる複数のフィルタを重ねて用いる場合などには、上述した、複数枚のフィルタ板を用いる構造を用いればよい。
（５）  上述した各実施の形態および変形例は、それぞれ組み合わせてもよい。
【００６３】
上述の実施の形態およびその変形例において、例えば、鏡筒部材は鏡筒１２０に、キャップ部材はレンズキャップ２００およびレンズキャップ３００に、光学部材はフィルタ板２４０に、当接部材は突起１２２にそれぞれ対応する。さらに、本発明の特徴的な機能を損なわない限り、本発明は、上述した実施の形態における機器構成に何ら限定されない。
【図面の簡単な説明】
【００６４】
【図１】本発明による第１の実施の形態のカメラ１００とレンズキャップ２００の斜視図であり、（ａ）は、レンズバリア２２０が閉じた状態を示し、（ｂ）は、レンズバリア２２０が開いて撮影可能な状態を示す。
【図２】図１のレンズキャップ２００の詳細を示す斜視図であり、（ａ）は、レンズバリア２２０と係合部材２１０とが係止した状態を示し、（ｂ）は、（ａ）の係止状態が解除された状態を示す。
【図３】図２（ａ）のＩＩＩ部分の拡大図であり、（ａ）は、把持部２１４に力が加わっていない状態を示し、（ｂ）は、把持部２１４が押圧された状態を示す。
【図４】カメラ１００およびレンズキャップ２００について、レンズの光軸を含む断面を横方向から見た場合の断面図であり、（ａ）は、電源スイッチがＯＦＦの状態を示し、（ｂ）は、突起１２２がレンズバリア２２０の円盤２２１に当接した状態を示し、（ｃ）は、レンズバリア２２０の開放状態を示し、（ｄ）は撮影可能な状態を示す。
【図５】第２の実施の形態のレンズキャップ３００の詳細を示す斜視図であり、（ａ）は、レンズバリア２５０とフィルタ板２４０と係合部材２１０とがそれぞれ係止した状態を示し、（ｂ）は、（ａ）のそれぞれの係止状態が解除された状態を示す。
【図６】第２の実施の形態のカメラ１００とレンズキャップ３００の斜視図であり、（ａ）は、フィルタ板２４０とレンズバリア２５０とが閉じた状態を示し、（ｂ）は、フィルタ板２４０とレンズバリア２５０とが開いて撮影可能な状態を示す。
【図７】カメラ１００およびレンズキャップ３００について、レンズの光軸を含む断面を横方向から見た場合の断面図であり、（ａ）は、電源スイッチがＯＦＦの状態を示し、（ｂ）は、突起１２２がフィルタ板２４０の円盤２２１に当接した状態を示し、（ｃ）は、開放状態を示し、（ｄ）は撮影可能な状態を示す。
【図８】第２の実施の形態のカメラ１００とレンズキャップ３００の斜視図であり、（ａ）は、フィルタ板２４０とレンズバリア２５０とが閉じた状態を示し、（ｂ）は、レンズバリア２５０のみが開いてフィルタを介した撮影が可能な状態を示す。
【図９】カメラ１００およびレンズキャップ３００について、レンズの光軸を含む断面を横方向から見た場合の断面図であり、（ａ）は、電源スイッチがＯＦＦの状態を示し、（ｂ）は、突起１２２がレンズバリア２５０の突起２５４に当接した状態を示し、（ｃ）は、レンズバリア２５０の開放状態を示し、（ｄ）は撮影可能な状態を示す。
【符号の説明】
【００６５】
１００  カメラ                                    １１０  カメラボディ
１２０  鏡筒                                      １２２  突起
２００，３００  レンズキャップ                    ２１０  係合部材
２１２，２３４  軸                                ２１３  係合部
２２０，２５０  レンズバリア                      ２１６，２２８  突条
２２６，２５３  支持部                            ２３０  光学フィルタ
２３１  開口部                                    ２４０  フィルタ板
２５４  突起
【図１】
2005128125.tif 000003
【図２】
2005128125.tif 000004
【図３】
2005128125.tif 000005
【図４】
2005128125.tif 000006
【図５】
2005128125.tif 000007
【図６】
2005128125.tif 000008
【図７】
2005128125.tif 000009
【図８】
2005128125.tif 000010
【図９】
2005128125.tif 000011